【手続補正書】
【提出日】平成21年2月4日(2009.2.4)
【手続補正１】
【補正対象書類名】特許請求の範囲
【補正対象項目名】全文
【補正方法】変更
【補正の内容】
【特許請求の範囲】
【請求項１】
実公平７−９０「磁石による連結具」の構造をブレスレット用に特化させた連結具であって、片手指でしか操作することができない装身具であるブレスレットにおいて、取り外しの際、一対になった留具体の湾曲部位先端を反対側の留具体表部より少し飛び出させたことで指先で湾曲部位の先端の位置が簡単に確認できて、それを指先で相互に軽くひねる動作だけで、誰でも簡単に着脱が可能であることを特徴とするブレスレット用の連結具。
【請求項２】
請求項１の連結具であって、片手指でしか操作することができない装身具であるブレスレットにおいて、それぞれの留具体の湾曲した掛かり止め部位の先端に円形の突起部を並べることで、連結具を指で触るだけで位置が確認でき、指で開くときには円形の突起部が抵抗となり、片手指での着脱の操作性を向上させたことを特徴とするブレスレット用の連結具。
【手続補正２】
【補正対象書類名】明細書
【補正対象項目名】全文
【補正方法】変更
【補正の内容】
【発明の詳細な説明】
【発明の名称】磁石による連結具
【技術分野】
【０００１】
永久磁石を使った装身具であるブレスレット用の連結具に関する。
【背景技術】
【０００２】
実公平７−９０「磁石による連結具」をブレスレット用の連結具として使用した場合、片手指での取り外しの操作が極めて難しいことがわかった。実公平７−９０「磁石による連結具」は永久磁石を利用した連結具でネックレス等の装着を目的に開発したものであり、両手指での着脱の操作は問題なかったが、物理的に片手指でしか操作することができないブレスレットに使用した場合に操作性が極めて悪かった。連結具を取り外しする場合には、片手指では連結具の掛け合わせ面がどこにあるか探っても確認が困難で、更に永久磁石の吸着力に負けて指が滑って外すことができなかった。
【０００３】
従来の連結具を確認すると、永久磁石を用いた連結具は永久磁石同士、永久磁石と鉄系材料といった組み合わせにより、向かい合わせで結合させるものが大半である。その場合、特開２００５−２１１６０８のように永久磁石が吸着した後、すぐには外れないようにセーフティーと呼ばれる脱落防止用安全補助金具を設ける構造を取っている。これでは片手指による操作での着脱に１工程が増えることになり極めて不便である。
【０００４】
また、特開２００２−２５３３１３のように挿入するだけで永久磁石による吸着と挿入する方向が引っ張り方向と垂直方向にあるためすぐには外れない機構になっているが、左右非対称であるため、どちら側からでも気にせず装着ができるものではない為、挿入する動作は片手指でしか操作することができないブレスレットでは極めて操作性が悪くなるという問題がある。
【０００５】
ブレスレット用の連結具においては小さい部品や複雑な機構にすると片手指では難しい操作になり、着脱に時間がかかったりすることがある為、ブレスレット用の連結具の構造はなるべく単純で簡単な機構であって誰でも片手指で簡便に着脱ができるものが望まれる。
【先行技術文献】
【特許文献】
【０００６】
【特許文献１】実公平７−９０
【特許文献２】特開２００５−２１１６０８
【特許文献３】特開２００２−２５３３１３
【発明の概要】
【発明が解決しようとする課題】
【０００７】
ネックレス等に代表される紐状装身具用の永久磁石を使用した連結具として開発した実公平７−９０を、片手指でしか操作することができないブレスレット用の連結具として使用した場合、片手指では永久磁石の吸着力に負けて取り外しが極めて困難であった。そのためブレスレットに使用する場合は高齢者や細かい操作が不得意な人など誰でも利き手に関係なく片手指で簡便に着脱の操作ができる連結具を製作する必要があった。
【課題を解決するための手段】
【０００８】
本発明は装身具であることから見た目にも美しく形状を保たなければならないが、ブレスレット用の連結具の着脱操作において片手指での操作性を向上させ確実なものにするために、一対になった時に湾曲した掛かり止め部先端が反対側の留具体の表部より少し飛び出した形状にすることで、指先に引っかかる部位を設けた。
【０００９】
さらに、指先での操作を向上させるために、それぞれの湾曲した掛かり止め部位の先端部分に指で開くときの抵抗となり滑り止めの役目を果たすように円形の突起部を並べた。
【発明の効果】
【００１０】
それぞれに湾曲した掛かり止め部位と平滑な内接面に永久磁石を埋設した２つの相似形の留具体で構成され、留具体の永久磁石の吸着力による誘導効果により簡単な装着と湾曲した掛かり止め部位が相互に掛かることで、セーフティーと呼ばれる脱落防止用安全補助金具の役目を持ち、左右の引っ張りに強く外れにくいという特徴を持ちながら、一対になった留具体の表部より少し飛び出した湾曲部位の掛かり止め先端部分とその部分に円形の突起部を並べたことにより、連結具を触ると触感により指先での湾曲部先端の位置が確認できて、引っ掛かりが付いたことで、片手指での取り外しの操作性が格段に向上した。これにより以前の実公平７−９０における連結具に比べ格段に取り外しの操作が簡便となり、ブレスレット用に特化した連結具として利き手に関係なく片手指での着脱ができ、また高齢者や細かい操作を不得意とする人など誰にでも最良の操作が可能となった。
【図面の簡単な説明】
【００１１】
【図１】本考案連結具をブレスレットに使用した場合の斜視図
【図２】本考案連結具の装着時の斜視図
【図３】本考案連結具の装着時の左右に引っ張っても外れない状態の正面図
【図４】本考案連結具の分離方法を示した斜視図第１例
【図５】本考案連結具の分離方法を示した正面図第２例
【図６】本考案連結具の正面図
【図７】本考案連結具の側面図
【図８】本考案連結具の上面図
【図９】本考案連結具の底面図
【図１０】留具体の表正面図
【図１１】留具体の裏正面図
【図１２】図１１のＡ−Ａ'線の拡大断面図
【発明を実施するための形態】
【実施例１】
【００１２】
本発明は、セーフティーの機能を持つ掛かり止めの付いた２つの相似形の留具体を永久磁石の吸着力による誘導効果で相互に掛け合うことで一対の連結具となり、取り外すときは飛び出した掛かり止めに指先が掛かりやすくなることで高齢者や細かい操作が不得意な人でも片手指で簡単に連結具の着脱ができることを目的とする。
以下に、図面を示しながら本発明を実施するための最良の形態について説明するが、以下に述べる実施形態には、本発明を実施するために技術的に好ましい種々の限定が付されているが、発明の範囲は以下の実施形態、実施例および図示例、形状に限定されるものではない。
【００１３】
図１は、本発明の装身具用連結具を連珠と組み合わせてブレスレットにした状態を示す斜視図である。
【００１４】
図２は、一対に組み合わせた態様の斜視図である。
【００１５】
図３は、結合され一対の態様となった連結具で、湾曲部２ｄが他方の凹曲部２ｃへ相互に掛かり合うことでセーフティーの役目を持つことになり、左右の両側方向に引っ張っても外れにくい連結具となる態様を示す正面図である。
【００１６】
図４は、図２のように一対に連結された留具体を取り外す方法を示した第１例の斜視図で、連結した態様時に留具体表部２より飛び出している湾曲した掛かり止め部位２ｄを指で掛け、２ｅの円形の突起部に指をあて、軽くひねるようにすることで簡単に取り外すことができ図１の状態にすることができる。
【００１７】
図５は、図２のように一対に連結された留具体を取り外す方法を示した第２例の正面図で、同様に連結された留具体を２ｂの外端部にある丸環５部分より、湾曲した掛かり止め部２ｄ方向へ同時に押しやることで簡単に取り外すことができることを示した正面図である。この方法はブレスレット使用時に片手指でも操作は可能で、ネックレスなどの装身具の連結具として使用した場合にも簡単に取り外すことのできる方法である。
【００１８】
図６は本連結具の正面図である。湾曲した掛かり止め部位２ｄと円形の突起部を示す。図７は本連結具の側面図である。留具体表部２より飛び出している湾曲した掛かり止め部位２ｄと円形の突起部を示す。図８は本連結具の上面図である。留具体表部２より飛び出している湾曲した掛かり止め部位２ｄと円形の突起部を示す。図９は本連結具の底面図である。留具体表部２より飛び出している湾曲した掛かり止め部位２ｄを示す。図１０は本連結具の留具体単体表正面図である。図１１は本連結具の留具体単体裏正面図である。図１２は図１１のＡ−Ａ'線拡大断面図である。永久磁石埋設用穴６と永久磁石３と留具体表部２を示す。
【産業上の利用可能性】
【００１９】
本発明は、ブレスレット等のチェーンや紐状装身具の連結具に関するものである。ブレスレット用の連結具として片手指での操作性を向上させた物ではあるが、誰でも簡便に着脱の操作ができることからネックレスやバックル、腕時計等の連結具としても問題なく使用できる。
【符号の説明】
【００２０】
１    連珠
２    留具体
２ａ  留具体内接面
２ｂ  外端
２ｃ  凹曲部
２ｄ  湾曲部
２ｅ  円形の突起部
３    永久磁石
４    連糸類
５    丸環
６    永久磁石埋設用穴